(57)【要約】【課題】ラベルを破くことなくきれいに剥がすことができ、かつ、商品に貼られたラベルが水滴で縮んだり、しわが寄ることを防ぐロール状ラベル用紙およびロール状ラベル用紙の作製方法の提供。【解決手段】本発明のロール状ラベル用紙は、ロール状に巻き取られる芯材１０と、芯材の両面に塗布された粘着剤１１と、芯材の一方の面の粘着剤上に等間隔に配列して貼着されたラベル１６と、芯材の他方の面の粘着剤上に貼着された剥離紙１３とを含む。【選択図】図３
2022000672.tif 000002
【特許請求の範囲】
【請求項１】
ロール状に巻き取られる芯材と、
前記芯材の両面に塗布された粘着剤と、
前記芯材の一方の面の粘着剤上に等間隔に配列して貼着されたラベルと、
前記芯材の他方の面の粘着剤上に貼着された剥離紙と、
を含むロール状ラベル用紙。
【請求項２】
前記芯材は、ポリエステルフィルムである請求項１に記載のロール状ラベル用紙。
【請求項３】
前記ラベルは、端面同士が突き合わされた複数の枚葉状のラベル用特殊用紙にラベル印刷が施されたものであり、
前記枚葉状のラベル用特殊用紙の端面同士が突き合わされた端面部分上にラベル印刷が施されたラベルが存在しない請求項１または２に記載のロール状ラベル用紙。
【請求項４】
ロール状に巻き取られる芯材の両面に粘着剤を塗布する工程と、
前記芯材の一方の面の粘着剤上に複数の枚葉状のラベル用特殊用紙を、端面同士を突き合わせて貼着する工程と、
前記芯材の他方の面の粘着剤上に剥離紙を貼着する工程と、
前記ラベル用特殊用紙に等間隔にラベル印刷を施し、ラベル部分のみをラベルの大きさに部分切断する工程と、
一方の面の粘着剤上には前記部分切断によって得られたラベルが等間隔に配列して貼着され、他方の面の粘着剤上には剥離紙が貼着された芯材をロール状に巻き取る工程と、
を含むロール状ラベル用紙の作製方法。
【請求項５】
前記ラベル用特殊用紙に等間隔にラベル印刷を施す前または施した後に、前記枚葉状のラベル用特殊用紙の端面同士が突き合わさった端面部分を含むラベルを剥離する工程を含む請求項４に記載のロール状ラベル用紙の作製方法。
【発明の詳細な説明】
【技術分野】
【０００１】
本発明は、ロール状ラベル用紙およびロール状ラベル用紙の作製方法に関するものである。
【背景技術】
【０００２】
従来のロール状ラベル用紙として、剥離紙の片面に粘着剤を塗布し、その上に所定の大きさの印刷済みラベルを剥離可能に配列して、前記剥離紙をロール状に巻き取ったものがある。
【０００３】
例えば、特許文献１には、ロール状に捲回した剥離紙の片面に、裏面に粘着剤を塗着した特殊用紙からなるラベルを等間隔で配列したもので、枚葉状のラベル用特殊用紙を、その端部外面を片面粘着テープの貼着によって連続シート状に形成する工程と、この連続シートの内面に粘着剤層を形成する工程と、この粘着剤層上に連続剥離用紙を貼着する工程と、この連続剥離用紙に貼着した連続した特殊用紙に等間隔にラベル印刷を施し、ラベル部分のみをラベルの大きさに部分切断する工程と、これによって得られたラベルを等間隔で配列した連続剥離紙をロール状に捲取る工程を経ることによって製造されるロール状ラベル用紙が開示されている。
【先行技術文献】
【特許文献】
【０００４】
【特許文献１】特開平５−３１８６３１号公報
【発明の概要】
【発明が解決しようとする課題】
【０００５】
しかし、引用文献１に開示されているロール状ラベル用紙は、実際に商品にラベルを貼る場面において、剥離紙に貼着されているラベルを剥がす際、ラベルが破けて使いにくいという問題がある。また、商品が酒である場合、ラベルを酒瓶に直に貼ると、酒瓶に生じた水滴によってラベルが湿気り、縮んだり、しわが寄ってしまうことがある。よって、ロール状ラベル用紙のさらなる改良が求められる。従って、本発明は、ラベルをきれいに剥がすことができ、貼られたラベルが水滴によって縮んだり、しわが寄ったりしない利便性を向上させたロール状ラベル用紙およびロール状ラベル用紙の製造方法を提供する。
【課題を解決するための手段】
【０００６】
本発明のロール状ラベル用紙は、ロール状に巻き取られる芯材と、芯材の両面に塗布された粘着剤と、芯材の一方の面の粘着剤上に等間隔に配列して貼着されたラベルと、芯材の他方の面の粘着剤上に貼着された剥離紙とを含む。これにより、ラベルは、芯材の一方の面に塗布された粘着剤上に貼着されるため、剥離紙上に貼着されるよりも、剥がす際に剥離紙の影響を受けることがない。また、商品にラベルを貼る際、商品には芯材の他方の面に塗布された粘着剤により貼着されるため、ラベルが直に商品に貼られることはない。
【０００７】
また、本発明のロール状ラベル用紙の芯材は、ポリエステルフィルムであることが望ましい。これにより、ラベルは、引っ張り強さを持ち、疎水性であるポリエステルフィルムの一方の面に塗布された粘着剤上に貼着される。
【０００８】
また、本発明のロール状ラベル用紙は、ラベルが、端面同士が突き合わされた複数の枚葉状のラベル用特殊用紙にラベル印刷が施されたものであり、枚葉状のラベル用特殊用紙の端面同士が突き合わされた端面部分上にラベル印刷が施されたラベルが存在しないことが望ましい。全ての紙質のラベル用特殊用紙が予めロール状または連続シート状になっているわけではなく、枚葉状となっているラベル用特殊用紙も多い。そのため、これにより、ロール状ラベル用紙に、あらゆる紙質のラベル用特殊用紙を用いることができる。また、これにより、端面部分上にラベル印刷が施されたラベル（商品に貼ることができない不良ラベル）を除いたロール状ラベル用紙を提供することができる。
【０００９】
本発明のロール状ラベル用紙の作製方法は、ロール状に巻き取られる芯材の両面に粘着剤を塗布する工程と、芯材の一方の面の粘着剤上に複数の枚葉状のラベル用特殊用紙を、端面同士を突き合わせて貼着する工程と、芯材の他方の面の粘着剤上に剥離紙を貼着する工程と、ラベル用特殊用紙に等間隔にラベル印刷を施し、ラベル部分のみをラベルの大きさに部分切断する工程と、一方の面の粘着剤上には前記部分切断によって得られたラベルが等間隔に配列して貼着され、他方の面の粘着剤上には剥離紙が貼着された芯材をロール状に巻き取る工程とを含む。これにより、芯材の一方の面に塗布された粘着剤上にラベルが貼着された、剥離紙上にラベルが貼着されるよりも、剥がす際に剥離紙の影響を受けることがないロール状ラベル用紙を作製することができる。また、商品にラベルを貼る際、商品には芯材の他方の面に塗布された粘着剤により貼着されるため、ラベルが直に商品に貼られることがないロール状ラベル用紙を作製することができる。なお、複数の枚葉状のラベル用特殊用紙は、芯材の他方の面に粘着剤により貼着される。
【００１０】
また、本発明のロール状ラベル用紙の作製方法は、ラベル用特殊用紙に等間隔にラベル印刷を施す前または施した後に、枚葉状のラベル用特殊用紙の端面同士が突き合わさった端面部分を含むラベルを剥離する工程を含む。これにより、端面部分上にラベル印刷が施されたラベル（商品に貼ることができない不良ラベル）を除いたロール状ラベル用紙の作製方法を提供することができる。
【発明の効果】
【００１１】
（１）本発明のロール状ラベル用紙およびロール状ラベル用紙の作製方法によれば、ラベルは、芯材の一方の面に塗布された粘着剤上に貼着されるため、剥離紙上に貼着されるよりも、剥がす際に剥離紙の影響を受けることがなく、破れることなくきれいに剥がすことができる。また、ラベルを商品に貼る際、商品には芯材の他方の面に塗布された粘着剤が貼着されるため、ラベルが直に商品に貼られることはなく、水滴の影響を受けずに済み、縮んだり、しわが寄ることを防ぐことができる。
【００１２】
（２）芯材に張り強さを持ち、疎水性であるポリエステルフィルムを用いる構成により、よりラベルが破けにくく、湿気に強くなる。
【００１３】
（３）端面同士が突き合わされた複数の枚葉状のラベル用特殊用紙にラベル印刷が施され、枚葉状のラベル用特殊用紙の端面同士が突き合わされた端面部分上にラベル印刷が施されたラベルが存在しない構成により、あらゆる紙質のラベル用特殊用紙を用いることができ、かつ、商品に貼ることができない不良ラベルを除いたロール状ラベル用紙を提供することができる。また、芯材の一方の面にラベル用特殊用紙が貼着されるため、端面同士を片面粘着テープで貼り合わせる必要がない。
【図面の簡単な説明】
【００１４】
【図１】本発明の実施の形態に係るロール状ラベル用紙にラベル印刷および部分切断が行われる前の構造を示す説明図である。
【図２】本発明の実施の形態に係るロール状ラベル用紙にラベル印刷および部分切断が行われた後の構造を示す説明図である。
【図３】ラベル印刷および部分切断が行われた本発明の実施の形態に係るロール状ラベル用紙から、縁部を取り除いた後の構造を示す説明図である。
【図４】本発明の実施の形態に係るロール状ラベル用紙の外観を示す説明図であり、（Ａ）は縁部を取り除く前、（Ｂ）は縁部を取り除いた後の外観である。
【図５】芯材にラベル用特殊用紙と剥離紙を貼着する工程を示す説明図である。
【図６】印刷手段および切断手段がラベル印刷を施して、ラベル１６の大きさに部分切断する工程の一例を示す説明図である。
【図７】枚葉状のラベル用特殊用紙の端面部分上に印刷が施された場合を示す説明図である。
【発明を実施するための形態】
【００１５】
以下に本発明の実施の形態を詳細に説明するが、以下に記載する構成要件の説明は、本発明の実施態様の一例（代表例）であり、本発明はその要旨を変更しない限り、以下の内容に限定されない。
【００１６】
［ロール状ラベル用紙］
図１は、本発明の実施の形態に係るロール状ラベル用紙にラベル印刷および部分切断が行われる前の構造を示す説明図である。ラベル印刷が施される前のロール状ラベル用紙１（図４（Ｂ）参照）は、芯材１０と、粘着剤１１と、ラベル用特殊用紙１２と、剥離紙１３（セパレーター）を含む。
【００１７】
芯材１０は、ポリエステルフィルムであり、具体的には、透明ＰＥＴ＃１２フィルムである。
【００１８】
粘着剤１１は、アクリル系粘着剤である。芯材１０の両面に、厚み２０μｍのアクリル系粘着剤が塗布される。つまり、芯材１０の両面に粘着剤層が形成される。
【００１９】
ラベル１６は、印刷用紙に印刷が施されたものであり、例えば、ラベル用特殊用紙１２上に印刷部分１４が形成されたものである。ラベル用特殊用紙１２とは、印刷用紙の中でも模様や着色などの加工が施されたり、厚みや材質に様々な種類のものがある、商品に貼るためのラベルに用いられる用紙である。また、印刷部分１４とは、印刷が施された部分、つまりインクによる加工がされた部分である。
【００２０】
ラベル用特殊用紙１２は、芯材１０の一方の面に塗布された粘着剤１１上に貼着される。ここで、全ての紙質のラベル用特殊用紙が予めロール状または連続シート状になっているわけではなく、枚葉状となっているラベル用特殊用紙も多い。本発明におけるラベル用特殊用紙１２は、このような複数の枚葉状のラベル用特殊用紙の端面を突き合わせたものである。なお、本説明において、ラベル用特殊用紙１２の端面同士を突き合せた部分を端面部分１２１と言う。
【００２１】
剥離紙１３は、芯材１０の他方の面（ラベル用特殊用紙１２が貼着される面とは逆の面）に塗布された粘着剤１１上に貼着される。
【００２２】
以上のように、芯材１０の両面に、それぞれラベル用特殊用紙１２と剥離紙１３が粘着剤１１により貼着される。その後、ラベル印刷および部分切断が行われる。図２は、本発明の実施の形態に係るロール状ラベル用紙にラベル印刷および部分切断が行われた後の構造を示す説明図である。図２に示すように、ラベル用特殊用紙１２上に印刷部分１４が形成され、ラベル１６が作製される。そして、ラベル１６のサイズに合わせて部分切断が行われる。部分切断が行われると、ラベル用特殊用紙１２から芯材１０を通り、剥離紙１３の手前まで切れ込み１４１が入る。
【００２３】
図３は、ラベル印刷および部分切断が行われた本発明の実施の形態に係るロール状ラベル用紙から、縁部１５（図２参照）を取り除いた後の構造を示す説明図である。縁部１５は、図２に示すように、印刷部分１４が形成されていないラベル用特殊用紙１２や芯材１０、粘着剤１１の部分である。図３に示すように、全ての縁部１５が取り除かれ、剥離紙１３上に、芯材１０およびラベル１６が積層して残る。
【００２４】
図４は、本発明の実施の形態に係るロール状ラベル用紙の外観を示す説明図であり、（Ａ）は縁部１５を取り除く前、（Ｂ）は縁部１５を取り除いた後の外観である。図４（Ａ），（Ｂ）に示すように、縁部１５が取り除かれつつ、矢印方向に芯材１０がロール状に巻き取られてロール状ラベル用紙１となる。
【００２５】
このように、ロール状ラベル用紙１には、剥離紙１３上に貼着された芯材１０とラベル１６の積層が残る。そして、実際に商品にラベル１６が貼られる場合、剥離紙１３からラベル１６が芯材１０ごと剥がされて、剥離紙１３と芯材１０との間に塗着された粘着剤１１により商品に貼着される。
【００２６】
剥離紙１３には、剥がれやすくなるようにシリコーンなどの剥離剤が塗工されている。一方、芯材１０とラベル用特殊用紙１２の間には、剥離剤は塗工されていない。そのため、剥離紙１３からラベル１６が剥がされる際は、芯材１０からラベル用特殊用紙１２が剥離されることなく、剥離紙１３からポリエステルフィルムである芯材１０が剥離されることとなる。ポリエステルフィルムは引っ張り強さを持つため、剥離紙１３から剥離される際に破けたりすることはない。よって、剥離紙１３に直にラベル用特殊用紙１２が貼着されているロール状ラベル用紙よりも、きれいに剥がすことができ、使いやすい。
【００２７】
また、このような積層構造となっているため、ラベル用特殊用紙１２は直に酒瓶などの商品に貼着せず、芯材１０が商品に直に貼着する。そして、芯材１０に疎水性であるポリエステルが用いられているため、直に貼着しても、酒瓶に生じた水滴でラベルが湿気たり、縮んだり、しわが寄ったりすることを防ぐことができる。
【００２８】
［ロール状ラベル用紙の作製方法］
図５は、芯材１０にラベル用特殊用紙１２と剥離紙１３を貼着する工程を示す説明図である。具体的には、芯材１０の両面に粘着剤１１を塗布する工程と、複数の枚葉状のラベル用特殊用紙１２を端面を突き合わせて貼着する工程と、剥離紙１３を貼着する工程の一例を示す説明図である。図５に示す例においては、一番下に複数の枚葉状のラベル用特殊用紙１２が端面部分１２１を突き合わせて並べられている。また、ラベル用特殊用紙１２の上には芯材１０、剥離紙１３および粘着剤１１が図５に示す順番で配置され、矢印方向に動く。
【００２９】
そのため、ラベル用特殊用紙１２の上に粘着剤１１が加圧ローラー１７により塗布される。次に、芯材１０が加圧ローラー１７によりラベル用特殊用紙１２に塗布された粘着剤１１に圧着される。そして、芯材１０の上にも粘着剤１１が加圧ローラー１７により塗布される。最後に、剥離紙１３が加圧ローラー１７により芯材１０に塗布された粘着剤１１に圧着される。
【００３０】
図５に示す工程により、芯材１０の両面に、それぞれラベル用特殊用紙１２と剥離紙１３が粘着剤１１により貼着された構造（図１参照）が作製される。このように、複数の枚葉状のラベル用特殊用紙１２は芯材１０にそれぞれ圧着して固定されるため、端面部分１２１を片面粘着テープなどで貼り合わせてラベル用特殊用紙１２を繋ぎ合わせる必要はない。
【００３１】
図６は、印刷手段および切断手段がラベル印刷を施して、ラベル１６の大きさに部分切断する工程の一例を示す説明図である。図６に示す例においては、図５に示す工程で作製されたものに対して、印刷手段として印刷版２１でラベル印刷を施し、切断手段として刃型２２でラベル１６の大きさに部分切断する。
【００３２】
図６に示す工程により、縁部１５を取り除く前のロール状ラベル用紙１（図４（Ａ）参照）が作製される。そして、巻取手段により、縁部１５が取り除かれつつ芯材１０がロール状に巻き取られて、ロール状ラベル用紙１が作製される。
【００３３】
上述したロール状ラベル用紙の作製方法はあくまで一例であり、発明の趣旨を逸脱しない範囲で適宜変更が可能である。
【００３４】
［端面部分を含むラベル］
図７は、枚葉状のラベル用特殊用紙の端面部分上に印刷が施された場合を示す説明図である。図７に示す不良ラベル１８のように、端面部分１２１上に印刷が施された場合、当該部分は端面部分１２１に沿って印刷がにじんだり、そもそも端面部分１２１は用紙の切れ目であるためラベルとして使いものにならない。
【００３５】
よって、ロール状ラベル用紙１から、このような不良ラベル１８（端面部分１２１を含むラベル）を取り除くことが望ましい。例えば、検知手段（図示せず）がラベル用特殊用紙１２にラベル印刷を施す前に端面部分１２１を検知し、印刷範囲に端面部分１２１が含まれると判断した部分については、印刷版２１によるラベル印刷を施さないこととする。また、ラベル用特殊用紙１２にラベル印刷を施した後に、検知手段により端面部分１２１を検知し、不良ラベル１８を剥離してもよい。
【００３６】
検知手段は、例えば、カメラを用いてラベル用特殊用紙の切れ目や印刷のにじみを検知し、端面部分１２１が含まれると判断することができる。具体的には、小ロット向け縦軸型検査装置「ＹＳＴ−２００−Ｐｒｏｇｒｅｓｓ−４ＫＣ」（製品名、有限会社ヤスコーポレーション社製）を用いて、端面部分１２１が含まれる箇所を判断することができる。
【産業上の利用可能性】
【００３７】
本発明は、ラベルをきれいに剥がすことができ、また、商品に貼られたラベルが水滴で縮んだり、しわが寄ることを防ぐ、利便性を向上させたロール状ラベル用紙およびロール状ラベル用紙の作製方法であり、ラベルが貼られる様々な商品について利用することができるため、産業上有用である。
【符号の説明】
【００３８】
１  ロール状ラベル用紙
１０  芯材
１１  粘着剤
１２  ラベル用特殊用紙
１２１  端面部分
１３  剥離紙
１４  印刷部分
１４１  切れ込み
１５  縁部
１６  ラベル
１７  加圧ローラー
１８  不良ラベル
２１  印刷版
２２  刃型
【図１】
2022000672.tif 000003
【図２】
2022000672.tif 000004
【図３】
2022000672.tif 000005
【図４】
2022000672.tif 000006
【図５】
2022000672.tif 000007
【図６】
2022000672.tif 000008
【図７】
2022000672.tif 000009
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
ロール状に巻き取られる芯材と、
前記芯材の両面に塗布された粘着剤と、
前記芯材の一方の面の粘着剤上に等間隔に配列して貼着されたラベルであり、端面同士が繋ぎ合わされずに突き合わされて配列した複数の枚葉状のラベル用特殊用紙にラベル印刷が施されたラベルと、
前記芯材の他方の面の粘着剤上に貼着された剥離紙と、
を含み、
前記芯材と前記剥離紙との間に塗布された粘着剤には剥離剤が塗工されており、前記芯材と前記ラベルとの間に塗布された粘着剤には剥離剤が塗工されていないことを特徴とするロール状ラベル用紙。
【請求項２】
前記芯材は、ポリエステルフィルムである請求項１に記載のロール状ラベル用紙。
【請求項３】
前記枚葉状のラベル用特殊用紙の端面同士が突き合わされた端面部分上にラベル印刷が施されたラベルが存在しない請求項１または２に記載のロール状ラベル用紙。
【請求項４】
ロール状に巻き取られる芯材の両面に粘着剤を塗布する工程と、
前記芯材の一方の面の粘着剤上に複数の枚葉状のラベル用特殊用紙を、端面同士を繋ぎ合わさずに突き合わせて貼着する工程と、
前記芯材の他方の面の粘着剤に剥離剤を塗工する工程と、
前記芯材の他方の面の粘着剤上に剥離紙を貼着する工程と、
前記ラベル用特殊用紙に等間隔にラベル印刷を施し、ラベル部分のみをラベルの大きさに部分切断する工程と、
一方の面の粘着剤上には前記部分切断によって得られたラベルが等間隔に配列して貼着され、他方の面の粘着剤上には剥離紙が貼着された芯材をロール状に巻き取る工程と、
を含むロール状ラベル用紙の作製方法。
【請求項５】
前記ラベル用特殊用紙に等間隔にラベル印刷を施す前または施した後に、前記枚葉状のラベル用特殊用紙の端面同士が突き合わさった端面部分を含むラベルを剥離する工程を含む請求項４に記載のロール状ラベル用紙の作製方法。
【手続補正２】
【補正対象書類名】明細書
【補正対象項目名】００１３
【補正方法】変更
【補正の内容】
【００１３】
（３）端面同士が突き合わされた複数の枚葉状のラベル用特殊用紙にラベル印刷が施され、枚葉状のラベル用特殊用紙の端面同士が突き合わされた端面部分上にラベル印刷が施されたラベルが存在しない構成により、あらゆる紙質のラベル用特殊用紙を用いることができ、かつ、商品に貼ることができない不良ラベルを除いたロール状ラベル用紙を提供することができる。また、芯材の他方の面に剥離紙が貼着されるため、端面同士を片面粘着テープで貼り合わせる必要がない。